(57)【要約】【課題】人力で杭を簡単に抜くことができる杭抜き具を提供すること。【解決手段】長尺な操作体１の一端部に軸受部２を設け、この軸受部２を接地体３に軸着して操作体１が接地体３に対し起伏回動自在となるように構成し、この軸受部２の先端部に杭４を係止する杭係止部５を設けて、操作体１を前記接地体３に対し伏動すると前記軸受部２を支点にこの杭係止部５が起動するように構成し、この杭係止部５は、前記接地体３に対し前後方向に移動可能となるように構成した杭抜き具。【選択図】　　　　図１
2004092258.tif 000002
【特許請求の範囲】
【請求項１】
長尺な操作体の一端部に軸受部を設け、この軸受部を接地体に軸着して操作体が接地体に対し起伏回動自在となるように構成し、この軸受部の先端部に杭を係止する杭係止部を設けて、操作体を前記接地体に対し伏動すると前記軸受部を支点にこの杭係止部が起動するように構成し、この杭係止部は、前記接地体に対し前後方向に移動可能となるように構成したことを特徴とする杭抜き具。
【請求項２】
地中に打ち込まれた杭に前記杭係止部を係止して前記操作体を伏動すると、この杭係止部が起動しながら前記接地体に対し前方へ移動して略鉛直上方向へ移動し、これに応じて杭係止部に係止した前記杭が地中より略鉛直上方向へと引き抜かれるように構成したことを特徴とする請求項１記載の杭抜き具。
【請求項３】
杭の前後位置に係止し得る前側係止部と後側係止部とを対向状態に設けた前記杭係止部を、前記軸受部に対し起伏回動自在に設けたことを特徴とする請求項１，２のいずれか１項に記載の杭抜き具。
【請求項４】
前記軸受部を、前記接地体に対しこの接地体の前後方向に移動し得るように設けて、前記杭係止部が接地体に対して前後方向に移動する構成としたことを特徴とする請求項１〜３のいずれか１項に記載の杭抜き具。
【請求項５】
前記操作体を伏動させつつ前記杭係止部を前方へ移動するように操作することで、この杭係止部が起動しながら前方へ移動して杭係止部が略鉛直上方向へ起動するように構成したことを特徴とする請求項４記載の杭抜き具。
【請求項６】
前記軸受部の軸受孔を長孔形状に形成し、この長孔形状の軸受孔に、前記接地体に設けた支軸を軸支することで、軸受部が接地体に対して前後方向に移動し得るように構成したことを特徴とする請求項４，５のいずれか１項に記載の杭抜き具。
【請求項７】
長孔形状の前記軸受孔に対する前記支軸の移動をガイドするガイド機構を備えたことを特徴とする請求項６記載の杭抜き具。
【請求項８】
前記軸受部にガイド軸を設け、このガイド軸にガイド体を設けると共に、このガイド体には前記支軸を連結して、このガイド軸を支点にしてガイド体を回動した際、このガイド体に連結した前記支軸が長孔形状の前記軸受孔に沿ってスライド移動する前記ガイド機構を構成したことを特徴とする請求項７記載の杭抜き具。
【発明の詳細な説明】
【０００１】
【発明の属する技術分野】
本発明は、地面に打ち込まれた杭を抜くための杭抜き具に関するものである。
【０００２】
【従来の技術及び発明が解決しようとする課題】
例えば、建設現場などでは、周囲の安全確保を目的に囲いを設置するが、この囲いは、地面に打ち込まれた複数の杭によって支えられる構造となっている。
【０００３】
而して、この囲いは、工事完了後には杭と共に撤去する必要があるが、地面に深く打ち込まれた杭は簡単に抜け外れるものではないので、従来は重機を使って抜いていた。
【０００４】
しかし、杭抜きのためだけに重機を使用することは、コスト面を考慮するとあまり好ましくない。
【０００５】
本発明は、このような現状に鑑み、重機を用いることなく、人力だけで杭を簡単に抜くことのできる画期的な杭抜き具を提供するものである。
【０００６】
【課題を解決するための手段】
添付図面を参照して本発明の要旨を説明する。
【０００７】
長尺な操作体１の一端部に軸受部２を設け、この軸受部２を接地体３に軸着して操作体１が接地体３に対し起伏回動自在となるように構成し、この軸受部２の先端部に杭４を係止する杭係止部５を設けて、操作体１を前記接地体３に対し伏動すると前記軸受部２を支点にこの杭係止部５が起動するように構成し、この杭係止部５は、前記接地体３に対し前後方向に移動可能となるように構成したことを特徴とする杭抜き具に係るものである。
【０００８】
また、地中に打ち込まれた杭４に前記杭係止部５を係止して前記操作体１を伏動すると、この杭係止部５が起動しながら前記接地体３に対し前方へ移動して略鉛直上方向へ移動し、これに応じて杭係止部５に係止した前記杭４が地中より略鉛直上方向へと引き抜かれるように構成したことを特徴とする請求項１記載の杭抜き具に係るものである。
【０００９】
また、杭４の前後位置に係止し得る前側係止部５Ａと後側係止部５Ｂとを対向状態に設けた前記杭係止部５を、前記軸受部２に対し起伏回動自在に設けたことを特徴とする請求項１，２のいずれか１項に記載の杭抜き具に係るものである。
【００１０】
また、前記軸受部２を、前記接地体３に対しこの接地体３の前後方向に移動し得るように設けて、前記杭係止部５が接地体３に対して前後方向に移動する構成としたことを特徴とする請求項１〜３のいずれか１項に記載の杭抜き具に係るものである。
【００１１】
また、前記操作体１を伏動させつつ前記杭係止部５を前方へ移動するように操作することで、この杭係止部５が起動しながら前方へ移動して杭係止部５が略鉛直上方向へ起動するように構成したことを特徴とする請求項４記載の杭抜き具に係るものである。
【００１２】
また、前記軸受部２の軸受孔２Ａを長孔形状に形成し、この長孔形状の軸受孔２Ａに、前記接地体３に設けた支軸６を軸支することで、軸受部２が接地体３に対して前後方向に移動し得るように構成したことを特徴とする請求項４，５のいずれか１項に記載の杭抜き具に係るものである。
【００１３】
また、長孔形状の前記軸受孔２Ａに対する前記支軸６の移動をガイドするガイド機構７を備えたことを特徴とする請求項６記載の杭抜き具に係るものである。
【００１４】
また、前記軸受部２にガイド軸７Ａを設け、このガイド軸７Ａにガイド体７Ｂを設けると共に、このガイド体７Ｂには前記支軸６を連結して、このガイド軸７Ａを支点にしてガイド体７Ｂを回動した際、このガイド体７Ｂに連結した前記支軸６が長孔形状の前記軸受孔２Ａに沿ってスライド移動する前記ガイド機構７を構成したことを特徴とする請求項７記載の杭抜き具に係るものである。
【００１５】
【発明の実施の形態】
好適と考える本発明の実施の形態（発明をどのように実施するか）を、図面に基づいてその作用効果を示して簡単に説明する。
【００１６】
接地体３を地面８に接地し、地面８に打ち込まれた杭４の、地表より露出している上方部位に前記杭係止部５を係止する。
【００１７】
そして、長尺な操作体１を伏動操作すると、軸受部２を支点としたテコ作用により杭４を係止した杭係止部５が大きな力で起動して杭４を持ち上げるが、この際、杭４は余程上方へ抜けない限りは傾かないから、接地体３に対して杭係止部５が起動しながら前方へ移動することになり、これにより杭係止部５は略鉛直上方向へ起動して、杭４が略鉛直上方向へと持ち上げられて地面８から引き抜かれる。
【００１８】
即ち、操作体１伏動時に、テコ作用の支点部となる軸受部２を枢支した接地体３が地面８に対して動くことなく、杭４を係止した杭係止部５が前方へと移動する構成であるから、しっかりと地面８に接地している接地体３に対して操作体１の伏動操作を非常に行い易く、且つ安定したテコ作用が発揮されることになり、しかも杭４を略鉛直上方向へと引き抜くから、杭４を地面８に対して斜め上方へ引き上げる場合のような余分な力を要せず、効率の良い杭抜き作業が行われることになる。
【００１９】
従って、コストのかかる重機を用いることなく、人力で杭４を簡単に引き抜くことが可能となる極めて実用性に秀れた画期的な杭抜き具となる。
【００２０】
また、例えば、杭４の前後位置に係止し得る前側係止部５Ａと後側係止部５Ｂとを対向状態に設けた前記杭係止部５を、前記軸受部２に対し起伏回動自在に設ければ、前側係止部５Ａと後側係止部５Ｂとで杭４を確固に係止でき、しかも、杭係止部５は起動しても軸受部２に対して傾くために、杭４に対する係止角度が変わらず係止状態が安定的に維持されることになるなど、一層実用的となる。
【００２１】
【実施例】
本発明の具体的な実施例について図面に基づいて説明する。
【００２２】
本実施例は、図１に示すように、長尺な操作体１の一端部に軸受部２を設け、この軸受部２を接地体３に軸着して操作体１が接地体３に対し起伏回動自在となるように構成し、この軸受部２の先端部に杭４を係止する杭係止部５を設けて、操作体１を前記接地体３に対し伏動すると前記軸受部２を支点にこの杭係止部５が起動するように構成している。
【００２３】
具体的に説明すると、本実施例の操作体１は長さ１．１ｍ程の角棒状の金属棒を採用している。
【００２４】
また、図２，図３に示すように、この操作体１の一端部に、略く字状を呈する二枚の金属製板材２０の一端側を、横方向に間隔を置いた対設状態にして付設（溶接）し、この二枚の板材２０の先端部が操作体１の長さ方向と略直交する側方（図面左側となる前方）に向かって突設する構成としている。本実施例では、この二枚の板材２０を前記軸受部２としている。
【００２５】
また、この二枚の板材２０で成る軸受部２には、中程に軸受孔２Ａを形成すると共に、両突出先端間に回動軸９を架設し、この回動軸９に前記杭係止部５を起伏回動自在に枢着している。
【００２６】
また、この軸受部２は、操作体１に対する側方への突出距離を１７ｃｍ程度としている。
【００２７】
ここで、杭係止部５について説明すると、杭４の対向前後位置に係止し得る前側係止部５Ａと後側係止部５Ｂとを対向状態に備えた平面視略コ字形の金属製部材により構成している。また、この前側係止部５Ａと後側係止部５Ｂの間隔を杭４の直径よりもやや大きくなるように構成し、更に、後側係止部５Ｂの後端部左右には、後方へ向けて軸着部５Ｃ（凸部）を一体的に突設し、この後部左右の軸着部５Ｃを前記軸受部２の先端に設けた回動軸９に軸着した構成としている。
【００２８】
本実施例の接地体３は、金属製の接地底板３Ａ上に二枚の金属製支持板３Ｂが所定間隔を置いた左右対設状態に立設した構成としている。
【００２９】
また、この接地体３の支持板３Ｂ間には支軸６を架設し、この支軸６を前記軸受部２の軸受孔２Ａに枢着することで前記操作体１が接地体３に対し起伏回動自在となるように構成すると共に、杭係止部５が起動せず地面８に接地した状態では、操作体１が立設状態となるように構成している（図１参照）。
【００３０】
また、前述した操作体１の長さと、この操作体１から側方へ突出する軸受部２の長さとの比率から、操作体１を伏動して杭係止部５を起動させると、テコ作用により杭係止部５は大きな力で上方へ持ち上げられるように構成している。
【００３１】
また、本実施例では、杭係止部５を前記接地体３に対し前後方向に突没移動可能となるように構成している。
【００３２】
具体的に説明すると、前記軸受部２を、前記接地体３に対し前後方向に移動し得るように構成して、前記杭係止部５が接地体３に対し前後方向に突没移動する構成としている。
【００３３】
更に説明すると、前記軸受部２の軸受孔２Ａを長孔形状に形成することで、この軸受部２が前記接地体３に設けた支軸６に対して前後方向に移動し得るように構成している。
【００３４】
また、本実施例では、長孔形状の前記軸受孔２Ａに対する前記支軸６の移動をガイドするガイド機構７を備えた構成としている。
【００３５】
具体的に説明すると、前記軸受部２にガイド軸７Ａを設け、このガイド軸７Ａにこのガイド体７Ｂを設けている。
【００３６】
ガイド軸７Ａは、図２，図３に示すように、軸受部２の中程の前記軸受孔２Ａの近傍に設け、この軸受部２の外側に突出するガイド軸７Ａの左右両端部に板状のガイド体７Ｂ（長円形状の金属板）の一端部を連結している。即ち、軸受部２の左右外側にガイド体７Ｂが配設する構成としている。
【００３７】
また、このガイド体７Ｂは、ガイド軸７Ａを支点に回動した際に、他端部が軸受孔２Ａを外側から閉塞するような配置となるように前記ガイド軸７Ａの位置を設定構成し、このガイド体７Ｂの他端部には軸受孔２Ａに対応させて合わせ孔２０を形成している。
【００３８】
また、ここで、軸受孔２Ａについて更に説明すると、図３に示すように軸受部２を構成する前記板材２０の中程であってガイド軸７Ａよりも図面上側の位置に、このガイド軸７Ａを中心とした円弧状の湾曲長孔を形成して構成し、ガイド軸７Ａを支点としてガイド体７Ｂが回動すると、このガイド体７Ｂ他端部の前記合わせ孔１０がこの湾曲長孔状の軸受孔２Ａに沿って移動するように構成している。
【００３９】
また、前記接地体３に設けた支軸６は、前記合わせ孔２０を介してガイド体７Ｂと連結し、且つ軸受孔２Ａに挿通した構成としている。即ち、ガイド軸７Ａを支点にしてガイド体７Ｂが回動すると、このガイド体７Ｂの他端部と連結されている支軸６はガイド体７Ｂの動きに合わせて湾曲状の軸受孔２Ａをスライド移動し、結果ガイド体７Ｂによって支軸６の移動はガイドされる構成としている。
【００４０】
図中符号１１はガイド体７Ｂと接地体３の支持板３Ｂとの間に介在する座金、１２は支軸６及びガイド軸７Ａを抜け止め状態とする抜け止めピン、１３は軸受部２に設けたガイド軸７Ａ装着用の貫通孔、１４はガイド体７Ｂに設けたガイド軸７Ａ装着用の取付孔、１５は接地体３の支持板３Ｂに設けた支軸６装着用の軸穴である。
【００４１】
次に、本実施例を用いた杭４の引き抜き方法について説明する。
【００４２】
図４に示すように、地面８に接地体３を接地し、前記杭係止部５の前側係止部５Ａと後側係止部５Ｂの間に地中に打ち込まれた杭４を入れると、前側係止部５Ａと後側係止部５Ｂの間隔を杭４の直径よりも大きく形成してあるため、杭係止部５は前側が下がった状態となって前側係止部５Ａと後側係止部５Ｂが杭４の前後面部に係止する。
【００４３】
次いで、立設状態の操作体１の上部を持って下方へ伏動すると、接地体３の支軸６を支点にして杭係止部５がテコの原理により大きな力で上方へ持ち上げられる。
【００４４】
この際、杭係止部５は軸受部２を介して後端を持ち上げられるが、杭４は地中に打ち込まれていてかなり上方へ抜けない限りは倒れないために杭４の前後面を前側係止部５Ａと後側係止部５Ｂとで確固に咥え込み係止することになる。
【００４５】
そして、杭係止部５の上昇に伴って杭４は地面８から引き抜かれることになる。
【００４６】
また、この際本実施例では、図５，図６に示すように、前記操作体１を伏動させつつ前記杭係止部５を前方へ移動するように操作する。これにより、この杭係止部５が起動しながら前方へ移動して杭係止部５が略鉛直上方向へ起動することになり、杭４を略真上に引き抜くことができる。
【００４７】
一度で杭４の全部が抜けない場合には、伏動させた操作体１を立設状態に戻す。すると、杭係止部５は杭４に沿って滑り落ち、元の位置に戻る。
【００４８】
次いで、再び力をいれて操作体１を伏動させると、杭４が更に上方へと引き抜かれる。この作業を何度が繰り返すことで、杭４を地中から抜き取ることができる。
【００４９】
従って、コストのかかる重機を用いることなく、人力で杭４を簡単に引き抜くことが可能となる。
【００５０】
尚、本発明は、本実施例に限られるものではなく、各構成要件の具体的構成は適宜設計し得るものである。
【００５１】
【発明の効果】
本発明は上述のように構成したから、コストのかかる重機を用いることなく、人力で杭を簡単に引き抜くことが可能となり、しかも、操作体伏動操作時に、テコ作用の支点部となる軸受部を枢支した接地体が地面に対して動くような構造でなく、杭を係止した杭係止部が前方へと移動する構成であるから、しっかりと地面に接地している接地体に対して操作体の伏動操作を非常に行い易く、且つ安定したテコ作用が発揮されることになり、その上、杭を略鉛直上方向へと引き抜くから、杭を地面に対して斜め上方へ引き上げる場合のような余分な力を要せず、効率の良い杭抜き作業が行われることになるなど、極めて作業性に秀れ、実用性に秀れた画期的な杭抜き具となる。
【００５２】
また、請求項２記載の発明においては、確実に杭を引き抜くことができる極めて実用性に秀れた杭抜き具となる。
【００５３】
また、請求項３記載の発明においては、前側係止部と後側係止部とで杭を確固に係止でき、しかも、杭係止部は起動しても軸受部に対して傾くために、杭に対する係止角度が変わらず係止状態が安定的に維持されることになるなど、一層実用性に秀れた杭抜き具となる。
【００５４】
また、請求項４記載の発明においては、杭係止部が接地体に対して前後方向に移動する構造を簡易に設計実現可能となる一層実用性に秀れた構成の杭抜き具となる。
【００５５】
また、請求項５記載の発明においては、確実に杭を地面に対して略鉛直上方向へ引き抜くことができる極めて実用性に秀れた杭抜き具となる。
【００５６】
また、請求項６記載の発明においては、軸受部が接地体に対して前後方向に移動する構造を簡易に設計実現可能となる一層実用性に秀れた構成の杭抜き具となる。
【００５７】
また、請求項７記載の発明においては、ガイド機構により接地体に対する軸受部の前後方向への移動、即ち、接地体に対する杭係止部の前後方向への移動が極めてスムーズに行われることになる一層実用性に秀れた構成の杭抜き具となる。
【００５８】
また、請求項８記載の発明においては、前記作用効果を確実に発揮するガイド機構を簡易に設計実現可能となる一層実用性に秀れた構成の杭抜き具となる。
【図面の簡単な説明】
【図１】本実施例を示す斜視図である。
【図２】本実施例の操作体を省略した拡大斜視図である。
【図３】本実施例の操作体を省略した分解斜視図である。
【図４】本実施例の杭係止部で杭を係止した状態を示す説明図である。
【図５】図４の状態から操作体を伏動させて杭を持ち上げた状態を示す説明図である。
【図６】図５の状態から更に操作体を伏動させて杭を更に持ち上げた状態を示す説明図である。
【符号の説明】
１　操作体
２　軸受部
２Ａ　軸受孔
３　接地体
４　杭
５　杭係止部
５Ａ　前側係止部
５Ｂ　後側係止部
６　支軸
７　ガイド機構
７Ａ　ガイド軸
７Ｂ　ガイド体
【図１】
2004092258.tif 000003
【図２】
2004092258.tif 000004
【図３】
2004092258.tif 000005
【図４】
2004092258.tif 000006
【図５】
2004092258.tif 000007
【図６】
2004092258.tif 000008